(57)【要約】【課題】従来の黄、紅、藍、墨プロセス４色印刷で表現していたＲＧＢの色再現領域よりもより広い色領域を再現することを可能とする印刷方法。【解決手段】  黄インキ、紅インキ、及び藍インキのうちいずれか２つ又は３つ、ならびに墨インキを使用する浸透乾燥型オフセット印刷において、黄、紅、藍の３色が下記顔料成分の組み合わせからなる浸透乾燥型オフセット印刷用インキ。  ジスアゾイエロー系化合物を５〜１５％含有する浸透乾燥型オフセット印刷用黄インキ。  ローダミン系染料の金属レーキを１５〜２０％含有する浸透乾燥型オフセット印刷用紅インキ。  フタロシアニン系化合物を０．７〜２．０％含有する浸透乾燥型オフセット印刷用藍インキ。【選択図】なし【特許請求の範囲】
【請求項１】
黄インキ、紅インキ、及び藍インキのうちいずれか２つ又は３つ、ならびに墨インキを使用する浸透乾燥型オフセット印刷において、黄インキ、紅インキ、藍インキの３色が下記顔料成分の組み合わせからなる浸透乾燥型オフセット印刷用インキ。
ジスアゾイエロー系化合物として、C．I．ピグメントイエロー１２又はC．I．ピグメントイエロー１３を５〜１５％含有し、濃度値１．１０〜１．２０の墨インキ上に０．８５〜０．９５の範囲で刷り重ねた場合のＬ*値が３１以上の不透明性を有する浸透乾燥型オフセット印刷用黄インキ。
ローダミン系染料の金属レーキ化合物として、C.I.ピグメントレッド８１またはC.I.ピグメントレッド１６９またはC.I.ピグメントバイオレット１を１５〜２０％含有する浸透乾燥型オフセット印刷用紅インキ。
フタロシアニン系化合物として、C.I.ピグメントブルー１５：３またはC.I.ピグメントブルー１５：４を１０〜２５％且つ、C.I.ピグメントグリーン７を０．７〜２．０％含有する浸透乾燥型オフセット印刷用藍インキ。
【請求項２】
請求項１記載の黄インキ、紅インキ、及び藍インキのうちいずれか２つまたは３つ、並び墨インキを用いて、白色度が６０〜８５％の高白色新聞用紙上に、黄インキ、紅インキ、藍インキの各濃度値を、黄インキが０．９０〜１．００、紅インキが０．９０〜１．０２、藍インキが０．９０〜１．０５の範囲内で各色インキを単独又は重ね合わせにより印刷した時、Ｌ*ａ*ｂ*表色系による色度（JIS  Z ８７２９）が、
黄インキで、L*：８２〜９２、a*：−１０〜０、ｂ*：７５〜８５
紅インキで、L*：５５〜６５、a*：５６〜６７、ｂ*：−２４〜−１２
藍インキで、L*：５５〜６５、a*：−３５〜−２５、ｂ*：−５０〜−３５
の範囲内にあり、上記インキ２色の重ね刷りの色度が（JIS  Z  ８７２９）、
紅インキ×黄インキの刷り重ねで、
L*：５２〜６２、a*：４７〜５７、ｂ*：３０〜４０
藍インキ×黄インキの刷り重ねで、
L*：５０〜６０、a*：−５５〜−４０、ｂ*：２０〜３０
藍インキ×紅インキの刷り重ねで、
L*：３７〜４７、a*：１２〜２７、ｂ*：−４７〜−３７
の範囲内になることを特徴とする高彩度の色再現に優れた浸透乾燥型オフセット印刷用インキの印刷方法であって、請求項１記載の黄インキ、紅インキ、藍インキのうち２色と墨インキとの組み合わせ、更には、請求項1記載の３色と墨インキとの組み合わせで印刷することにより、Ｌ*ａ*ｂ*表色系の色空間を広げることが可能な浸透乾燥型オフセット印刷用インキの印刷方法。
【請求項３】
請求項１記載の浸透乾燥型オフセット印刷用インキを用いて、請求項２記載の浸透乾燥型オフセット印刷用インキの印刷方法により印刷してなる印刷物。
【発明の詳細な説明】
【技術分野】
【０００１】
本発明は、黄、紅、藍、墨のプロセス４色からなるオフセット印刷用インキの印刷方法であって、４色で高彩度の色再現性に優れたインキシステムを用いた印刷方法に関する。
【０００２】
また、白色度の高い新聞用紙（高白新聞紙）上に、上記記載の高彩度な色再現可能である、黄、紅、藍、墨のプロセス４色からなる浸透乾燥型オフセット印刷用インキを用いて、規定濃度で印刷することにより、従来の浸透乾燥型オフセット印刷用インキの印刷方法では成し得なかった高彩度の色再現性に優れた浸透乾燥型オフセット印刷用インキの印刷方法に関する。
【背景技術】
【０００３】
９０年代より始まったＩＴ革命は、印刷現場を取り巻く環境を著しくデジタル化の方向へと導いてきており、このデジタル化によって、従来の印刷方式のワークフロー（撮影・ポジ・スキャン・データ・デザイン・ＥＰＳ・面付け・フィルム・刷版・印刷）が多段階式過程であったのに対し、デジタルカメラによる撮影・ＤＴＰ・ＣＴＰ・印刷とその過程を飛躍的に短縮することに成功した。それによって、入稿データの「ＲＧＢ」化が標準化しつつあり、取り扱われるデータがより色再現領域の広いものへとシフトしつつあるのが現状である。
【０００４】
しかし、現在主流となっている黄、紅、藍、墨のプロセス４色（ＣＭＹＫ）からなる平版オフセット印刷では、減色混合による色相となるため、必然的に色再現領域がＲＧＢのそれよりも狭いものとなり、デジタルデータと印刷物との間の色再現性の差異が問題となっていった。
【０００５】
特に浸透乾燥型インキを用いる更紙用印刷（新聞印刷）においては、用紙の白色度、平滑性の問題があり、コート紙用印刷よりも、更に色再現領域が狭くなり、デジタルデータからの見本印刷物との色再現性の差異が非常に問題となってしまう。
【０００６】
また、浸透乾燥型インキを用いる新聞印刷においては、近年、モアカラー化の要望が強まり、新聞紙面のカラーページが増加する傾向にあるため、これに対応すべく印刷品質の向上や、カラー広告の高品質化による紙面の差別化が強く望まれている。
【０００７】
これを解決する手段として、特許文献１では高彩度の印刷システムとして５〜７色のインキセットを使用する印刷方法が確立され、それぞれの特定した色相を持つインキセットを用いる印刷方法として、プロセス４色に橙、緑を加えた６色（ヘキサクロム印刷）やプロセス４色に橙、緑、紫を加えた７色（ハイファイ印刷）等が確立されている。また、ヘキサクロムインキに代表されるように、色再現領域を広げる手段として一部の色に蛍光顔料を含有させる等の手法もとられるが、印刷適性の劣化（転移不良、光沢低下等）や耐光性不足による印刷物の褪色等のデメリットもある。更に、使用するインキの色数が６色、７色となり、印刷機の胴数が６胴以上の高価な多色印刷機を必要とする事に加え、それと同数の多色分解した版数が必須条件となり、新たに始めるには巨額な設備投資と、色調管理の複雑化などで本システムを用いるには限られた範囲に止まっている。
【０００８】
また、特許文献２では、高彩度の印刷システムとして４色のインキセットを使用する印刷方法が開示はされているが、各色インキの製造方法について記載がなく、特許として甚だ疑義が生じる。
【０００９】
さらに、新聞印刷においては、特にプロセス４色用の印刷機がほとんどであり、５色機以上の多色機が汎用品として市場に導入されていないこともあり、多色印刷機を用いた５胴以上の多色印刷方法による紙面の高彩度化は特に困難であり、そのため高演色用インキの開発および印刷用紙を含めた高彩度を得るための印刷方法の確立が重要である。
【００１０】
従来より、新聞印刷においては、インキ盛り量を通常より多くし、紙面濃度を上げることによって高彩度化を図ることが試みられているが、インキ盛り量を多くすると紙面の彩度は向上するものの、インキのセット性が遅延し、セットオフ汚れ、ガイド汚れ等を誘発する。また、顔料濃度を高濃度化し、インキの盛り量を変化させずに紙面濃度を上げることも試みられているが、乳化適性等の印刷適性の劣化を招き、現在もこれらの方法による浸透乾燥型オフセット印刷用インキの印刷方法は一般的に普及していない。
【特許文献１】特開２００１−２６０５１６号公報
【特許文献２】特表２００７−５０００９１号公報
【発明の開示】
【発明が解決しようとする課題】
【００１１】
本発明は、このような従来の技術における問題点を解決する為になされたものであり、その課題とするところは、従来多く普及している４色印刷機を用いて、ＲＧＢの色再現領域を限りなく表現することができる、黄、紅、藍、墨のプロセス４色からなる浸透乾燥型オフセット用印刷インキおよびその印刷方法を提供するものである。
【００１２】
すなわち本発明は、黄、紅、藍、墨のプロセス４色からなる浸透乾燥型オフセット印刷用インキ組成物において、黄、紅、藍の３色が、ジスアゾイエロー系化合物を顔料成分とする黄インキと、ローダミン系染料の金属レーキ化合物を顔料成分とする紅インキと、フタロシアニン系化合物を顔料成分とする藍インキとの組み合わせからなる浸透乾燥型オフセット印刷用インキ組成物に関するものである。
【００１３】
また、白色度の高い高白新聞紙上に、上記記載の高彩度な色再現可能である、黄、紅、藍、墨のプロセス４色からなる浸透乾燥型オフセット印刷用インキを用いて規定濃度で印刷することにより、従来の印刷方法では成し得なかった高彩度の色再現性に優れた浸透乾燥型オフセット印刷用インキの印刷方法に関するものである。
【００１４】
すなわち本発明は、ジスアゾイエロー系化合物として、C．I．ピグメントイエロー１２又はC．I．ピグメントイエロー１３を５〜１５％含有し、濃度値１．１０〜１．２０の墨インキ上に０．８５〜０．９５の範囲で刷り重ねた場合のＬ*値が３１以上の不透明性を有する浸透乾燥型オフセット印刷用黄インキに関するものである。
【００１５】
また本発明は、ローダミン系染料の金属レーキ化合物として、C.I.ピグメントレッド８１またはC.I.ピグメントレッド１６９またはC.I.ピグメントバイオレット１を１５〜２０％含有する浸透乾燥型オフセット印刷用紅インキに関するものである。
【００１６】
また本発明は、フタロシアニン系化合物として、C.I.ピグメントブルー１５：３またはC.I.ピグメントブルー１５：４を１０〜２５％且つ、C.I.ピグメントグリーン７を０．７〜２．０％含有する浸透乾燥型オフセット印刷用藍インキに関するものである。
【発明の効果】
【００１７】
本発明が提供する浸透乾燥型オフセット印刷用インキの印刷方法を用いることにより、従来の黄、紅、藍、墨プロセス４色印刷で表現していたＲＧＢの色再現領域よりもより広い色領域を再現することが可能になる。また、本発明では、印刷物の色再現領域を向上させる手段として蛍光顔料を使用していないため、印刷適性、印刷物の経時での褪色等を劣化させることなく、高彩度の印刷物を得ることができる。
【００１８】
更に、ISO規格の新聞用ジャパンカラー標準用紙よりも大幅に白色度の高い、高白色新聞用紙を用いることにより、更紙による可視光領域の吸収、特に波長領域が３８０〜６００nmの紙による吸収を防ぐことができるため、特に黄・緑（藍×黄）・藍・青紫（藍×紅）領域の反射率が向上し、黄・緑・藍・青紫の色再現性を大きく向上させることが可能になる。
【発明を実施するための最良の形態】
【００１９】
次に、好ましい実施の形態を挙げて本発明を更に具体的に説明する。
【００２０】
本発明は、顔料と、合成樹脂、植物油、石油系溶剤とを必要に応じてステアリン酸アルミニウム、アルミキレート等のゲル化剤と共に加熱溶解したビヒクル成分と、耐摩擦剤等の補助剤とからなる黄、紅、藍、墨の４色からなるオフセットインキであって、白色度が６０〜８５％の高白新聞用紙、例えば王子製紙（株）製高白新聞用紙（秤量５２ｇ／ｍ２、Ｌ*：９２、a*：０．２、b*：０．８）に印刷し、黄、紅、藍の各色を Gretag Macbeth  Spectro Eye(45/0、D50、2度視野：Status T)濃度計にて測定した際の濃度値が、黄が０．９０〜１．００、紅が０．９０〜１．０２、藍が０．９０〜１．０５の範囲内であるときに単色及び各単色の刷り重ねのＬ*ａ*ｂ*表色系による色度（JIS  Z ８７２９）が、
黄インキで、L*：８２〜９２、a*：−１０〜０、ｂ*：７５〜８５
紅インキで、L*：５５〜６５、a*：５６〜６７、ｂ*：−２４〜−１２
藍インキで、L*：５５〜６５、a*：−３５〜−２５、ｂ*：−５０〜−３５
の範囲内にあり、上記インキ２色の重ね刷りの色度が（JIS  Z  ８７２９）、
紅インキ×黄インキの刷り重ねで、
L*：５２〜６２、a*：４７〜５７、ｂ*：３０〜４０
藍インキ×黄インキの刷り重ねで、
L*：５０〜６０、a*：−５５〜−４０、ｂ*：２０〜３０
藍インキ×紅インキの刷り重ねで、
L*：３７〜４７、a*：１２〜２７、ｂ*：−４７〜−３７
の範囲内になることを特徴とする。
【００２１】
色再現領域の表現方法としては、ＸＹＺ表色系（ＣＩＥ１９３１表色系）、Ｘ10Ｙ10Z10表色系（ＣＩＥ１９６４表色系）、Ｌ*ａ*ｂ*表色系（ＣＩＥ１９７６）、ハンターＬａｂ表色系、マンセル表色系、Ｌ*ｕ*ｖ*表色系（ＣＩＥ１９７６）等挙げられる。
【００２２】
Ｌ*ａ*ｂ*表色系では、色相に関係なく比較できる明るさの度合いとして「明度」をＬ*で表現し、Ｌ*が大きくなるほど色が明るく、小さくなるほど暗くなることを示している。また、各色によって異なる「色相」をａ*、ｂ*の値で示し、ａ*は赤（＋）から緑（−）方向、そしてｂ*は黄（＋）から青（−）方向を示し、各方向とも絶対値が大きくなるに従って色鮮やかになり、０に近づくに従ってくすんだ色になることを示している。これによって一つの色を、Ｌ*、ａ*、ｂ*を用いて数値化することが可能となる。また「明度」「色相」とは別に、鮮やかさの度合いを数値化する方法として「彩度（Ｃ）」があり、以下の計算式にて求めることができる。
【００２３】
【数１】
2009013288.tif 000002
Ｃに関しても同様に、絶対値が大きくなるに従って色鮮やかになり、値が小さくなるにつれてくすんだ色になることを示している。
【００２４】
一つの印刷物（印刷物以外のカラースペースも含む）で表現できる全ての色再現領域を演色領域（ガモット）と呼ぶが、ガモットを表す最も簡便な方法として、ａ*を横軸、ｂ*縦軸とした2次元空間に、単色ベタ部（黄、紅、藍）、及び、単色ベタ刷り重ね部（黄×紅、紅×藍、藍×黄）計6色のａ*対ｂ*の値を、プロットした六角形の面積で表現することが可能である。ガモットの面積が広い程、色再現領域が広いことを示している。
【００２５】
本発明に用いられる高白色新聞用紙としては、白色度が６０〜８５％の高白色新聞用紙がよく、より好ましくは６３〜８５％がよい。６０％以下であると、現在一般的に使用されている更紙の白色度は約５３％程度であるため、大きな差異を得ることができず、また８５％以上であると、白色度を上げるために古い古紙配合率を維持できなくなるため、印刷紙が高コストになり、さらには環境に負荷がかかるため好ましくない。また、本発明に用いられる高白色新聞用紙としては、白色度が６０〜８５％の範囲内であれば、酸性紙でも中性紙でもよい。
【００２６】
一般的に浸透乾燥型インキを用いる更紙（特に新聞印刷用更紙）印刷においては、可視光領域の一部である３８０〜６００ｎｍにかけて、約５〜１５％の紙による吸収が潜在的に起こっている。そのため、この波長領域の反射率が低下し紙の黄味色相が強くなってしまうため、ハロゲン化銅フタロシアニン化合物による青味成分の発色効果、特に藍と紅の重ねの紫領域から藍と黄の重ねの緑領域にかけて発色効果が阻害されてしまう。しかし、白色度の高い高白色新聞用紙に印刷することにより、３８０〜６００ｎｍにかけての可視光領域の反射率を５〜１５％上昇させることが可能になるため、藍インキ単色の色再現領域を縮小することなく、また、黄インキ及び紅インキと刷り重ねた緑及び紫の色再現領域を従来の更紙を使用したときより広げることが可能になる。白色度の高い用紙に印刷するほど、３８０〜６００ｎｍの可視光領域の反射率向上効果が高くなるため、より白色度の高い高白紙を使用することが好ましい。
【００２７】
本発明に用いられる黄顔料としては、ジスアゾイエロー系化合物、例えば、C.I.ピグメントイエロー１２、C.I.ピグメントイエロー１３、等であって、濃度値１．１０〜１．２０の範囲内で印刷した墨インキ上に、黄インキの濃度を０．８５〜０．９１の範囲で刷り重ねした場合のＬ*値が３１以上の不透明性を有していれば、新聞印刷に使用される平滑度が劣り、白色度の劣る更紙においては、下紙を隠蔽することによって黄インキ本来の発色性が出るため、良好な色再現領域を得ることができる。L*値が３１未満であると、下紙の影響を受け黄インキ本来の発色性が得られない。
【００２８】
また、補色としてC.I.ピグメントイエロー８３を上記黄顔料の０．５〜１０％、好ましくは２〜５％加えて使用することも可能である。
【００２９】
紅顔料としては、ローダミンＢ、ローダミン３Ｇ、ローダミン６Ｇなどのローダミン系染料のモリブデン、タングステン金属レーキ化合物、例えばC.I.ピグメントレッド８１、C.I.ピグメントバイオレット１等が挙げられるがこれらに限定されるものではない。これら紅顔料は単独で使用してもよく、また２種類以上の組み合わせて使用することも可能である。これらの紅顔料は、全インキに対し１０〜３０％、より好ましくは１０〜２０％含有させるのがよい。
【００３０】
藍顔料としては、フタロシアニン系化合物、例えばC.I.ピグメントブルー１５：３、C.I.ピグメントブルー１５：４等が挙げられる。更には、補色としてC.I.ピグメントグリーン７を上記藍顔料の５〜１５％、好ましくは８〜１１％加えて使用することも可能である。
【００３１】
本発明で使用する藍顔料である銅フタロシアニン系化合物は、結晶多型（同質異晶）を示す物質であり、その結晶構造の違いによってα、β、γ、ε、π、τ、ρ、χ、Ｒ型などに分類されるが、結晶安定性、分散性が優れているβ型を使用することが好ましく、更には比表面積が７４ｍ２／ｇ以上の微細なβ型銅フタロシアニンであることが好ましい。
【００３２】
墨顔料としては、カーボンブラック、例えばC.I.ピグメントブラック７等が挙げられる。
【００３３】
本発明に用いられる合成樹脂としては、ロジン変性フェノール樹脂、石油樹脂、アルキッド樹脂、ロジン変性アルキッド樹脂、石油樹脂変性アルキッド樹脂、ロジンエステル等が考えられる。好ましくは、ロジン変性フェノール樹脂を使用する。ロジン変性フェノール樹脂は、特に限定されないが、重量平均分子量１万〜３０万のものを使用するのが好ましい。分子量１万以下ではインキの粘弾性が低下し、４０万以上ではインキとしての流動性が不十分となる。
【００３４】
植物油としては、たとえばパーム核油、ヤシ油、綿実油、落花生油、パーム油、コーン油、オリーブ油、亜麻仁油、コーン油、大豆油、サフラワー油、桐油等の植物油由来のものが例示できるとともに、それらの熱重合油および酸素吹き込み重合油なども使用できる。また、本発明ではこれら植物油を単独で用いても良いし、２種以上組み合わせて用いることもできる。
【００３５】
また、インキに用いられる石油系溶剤は、芳香族炭化水素の含有率が１％以下でアニリン点が７５〜９５℃好ましくは８０〜９５℃及び、沸点が２６０℃〜３５０℃好ましくは２８０〜３５０℃の範囲にある石油系溶剤である。アニリン点が７５％未満の場合には、樹脂を溶解させる能力が高すぎる為、インキのセット性が遅くなり好ましくなく、また９５℃を超える場合には樹脂の溶解性が乏しい為、光沢、着肉等が悪くなり好ましくない。沸点が２６０℃未満に場合には、印刷機上でのインキ溶剤の蒸発が多くなり、インキの流動性の劣化により、インキがローラー、ブランケット、版等への転移性が悪くなり好ましくない。また、３５０℃を超える場合には、紙に浸透した溶剤の蒸発が遅くなるため裏抜け性の劣化を招く。
【００３６】
更に、本発明のオフセットインキ組成物には、必要に応じてゲル化剤、顔料分散剤、金属ドライヤー、乾燥抑制剤、酸化防止剤、耐摩擦向上剤、裏移り防止剤、非イオン系界面活性剤、多価アルコールなどの添加剤を適宜使用することができる。
【実施例】
【００３７】
次に具体例により本発明を更に詳細に説明するが、本発明の範囲はこれら記載実施例に限定されるものではない。なお、以下の記述の部は重量部、％は重量％を表す。
【００３８】
（オフセット用ロジン変性フェノール樹脂ゲルワニスＡの製造）
コンデンサー、温度計、及び攪拌機を装着した四つ口フラスコにロジン変性フェノール樹脂（荒川化学工業（株）製：重量平均分子量１５万、酸価２０、軟化点１６０℃）３８．５部、大豆油３０部、ＡＦソルベント５号（新日本石油（株）製）３０部を仕込み、１８０℃に昇温して、同温で３０分間攪拌した後、放冷し、ゲル化剤としてエチルアセトアセテートアルミニウムジイソプロポキシド１．０部（川研ファインケミカル（株）製ＡＬＣＨ）を仕込み、１８０℃で３０分間攪拌してオフセット用ロジン変性フェノール樹脂ゲルワニスＡ（以下ゲルワニスＡと称す）を得た。
【００３９】
〔インキ実施例〕（黄インキ）
表１のような配合にてＣ．Ｉ．ピグメントイエロー１２（東洋インキ製造（株）製ＬＩＯＮＯＬ  ＹＥＬＬＯＷ  １２４３−Ｐ）をニーダー中で温度７５℃の条件下、ゲルワニスＡを徐々に添加して混練して一次脱水を行った。次にニーダー温度１００℃〜１２０℃、減圧度７６ｍｍＨｇの条件下で１時間バキュームし、ベースインキ中の水分を０．５％以下になるように二次脱水を行った。脱水後、残りのゲルワニスＡ、ＡＦソルベント５号、大豆油を添加して混練して希釈し、ニーダーより未分散ベースインキを取り出した。取り出したベースインキをロール温度６０℃の３本ロールを用いて、分散粒子系測定機（グラインドメーター）で７．５ミクロン以下になるまで練肉し、黄のベースインキ１を得た。次いで、ベースインキ１に対して、表２の配合でゲルワニスＡ、大豆油、コンパウンド、ＡＦソルベント５号を添加し黄インキ１を得た。
【００４０】
〔インキ実施例〕（紅インキ）
黄インキと同様に、表１の配合にてＣ．Ｉ．ピグメントレッド８１（不二化成（株）製ファナルローズＲＮＮ−Ｐ）を用い、紅のベースインキ２を得た。次いで、ベースインキ２に対して、表２の配合でゲルワニスＡ、大豆油、コンパウンド、ＡＦソルベント５号を添加し紅インキ２を得た。
【００４１】
〔インキ実施例〕(藍インキ)
表２の配合にて、Ｃ．Ｉ．ピグメントブルー１５：３（東洋インキ製造（株）製ＬＩＯＮＯＬ  ＢＬＵＥ  ＦＧ  ７３３０）をワニスと混合し、分散粒子系測定機（グラインドメーター）で７．５ミクロン以下になるまで練肉後、更に大豆油、コンパウンド、ＡＦソルベント５号を添加し藍インキ３を得た
【００４２】
黄インキの透明性評価については、下記の試験法で評価した。
濃度値１．１０〜１．２０の範囲内で新聞印刷用更紙面に印刷した墨インキ上に、黄インキの濃度を０．８０〜１．１０の範囲で刷り重ねし、Ｌ*値を測定した。結果を表４に示す。
【００４３】
実施例の黄インキは測定濃度範囲で常にＬ*が３１以上で、下地の墨インキを隠蔽し、黄インキの本来の発色性が出て演色性を広げている（Ｌ*は値が小さいほど黒く、大きくなるほど白くなることを示している）。
【００４４】
一方、比較インキは、Ｌ*が低く、下地の墨インキの影響が出てしまい、演色性が狭くなってしまう。
【００４５】
（印刷評価試験）
上記実施例及び比較例のインキについて、下記印刷条件の下、黄、紅、藍の各ベタ濃度値を、黄：０．９０〜１．００、紅：０．９０〜１．０２、藍：０．９０〜１．０５の範囲内で印刷し、印刷物の評価を実施した。尚、墨インキは、一般的なオフセット用新聞印刷インキを使用し、濃度値１．１２〜１．２０の範囲内で印刷した。
【００４６】
（印刷条件）（実施例）
印刷機  ：ＬＩＴＨＯＰＩＡ  ＢＴ２−８００  ＮＥＯ（三菱重工（株））
：刷り順：墨→藍→紅→黄
用紙    ：高白新聞用紙:中質紙（秤量５２ｇ／ｍ２）（王子製紙（株））
（測色値：Ｌ*：９２、a*:０．２、b*：０．８）
湿し水  ：ＮＥＷＳＫＩＮＧ  ＡＬＫＹ（東洋インキ製造（株））０．５％水道水溶              液
印刷速度：１０万部／時
【００４７】
（印刷条件）（比較例）
印刷機  ：ＬＩＴＨＯＰＩＡ  ＢＴ２−８００  ＮＥＯ（三菱重工（株））
：刷り順：墨→藍→紅→黄
用紙    ：新聞用更紙:超軽量紙（秤量４３ｇ／ｍ２）（日本製紙（株））
（測色値：Ｌ*：８２、a*:−０．４、b*：４．６）
湿し水  ：ＮＥＷＳＫＩＮＧ  ＡＬＫＹ（東洋インキ製造（株））０．５％水道水溶              液
印刷速度：１０万部／時
比較例して用いるインキは一般的な浸透乾燥型オフセット印刷用インキを使用した。
【００４８】
（印刷物測定条件）
濃度    ：Gretag Macbeth  Spectro Eye(45/0、D50、2度視野：Status T)にて印刷              物の単色（黄、紅、藍、墨）ベタ部の濃度値を測定。
測色    ：Gretag Macbeth  Spectro Eye(45/0、D50、2度視野：Status T)にて印刷              物の単色ベタ部（黄、紅、藍）、及び、単色ベタ刷り重ね部（黄×紅、紅              ×藍、藍×黄）のＬ*、ａ*、ｂ*値を測定。
【００４９】
Ｃ値はａ*及びｂ*から下記の計算式にて求めた。
【数２】
2009013288.tif 000003
【００５０】
結果を表３に示す。比較例と比べて実施例のＣ値が大きく、印刷物の彩度が高い。また、ａ*を横軸、ｂ*縦軸とした2次元空間に、各ａ*、ｂ*値をプロットし、２次元のガモットで比較した結果、実施例の色再現領域が広いことがわかる（表５）。
【００５１】
【表１】
2009013288.tif 000004
【００５２】
【表２】
2009013288.tif 000005
【００５３】
【表３】
2009013288.tif 000006
【００５４】
【表４】
2009013288.tif 000007
【００５５】
【表５】
2009013288.tif 000008